(57)【特許請求の範囲】
【請求項１】
複数の物理チャネルでフレームが構成されるフォーマットを有する信号のうち、送出対象信号のフォーマット情報を第１メモリ（２２）に設定する送出対象信号フォーマット設定手段（２１）と、
前記第１メモリに設定されたフォーマット情報にしたがって、送出対象信号の各フレームの物理チャネルに挿入するベースバンドの信号データを挿入対象の物理チャネルにそれぞれ対応づけて第２メモリ（２４）に書き込む信号データ書込手段（２３）と、
前記第１メモリに設定されたフォーマット情報に基づいて、前記第２メモリに書き込まれた信号データを挿入対象の物理チャネルの送信タイミングに合わせて読み出して、前記設定されたフォーマットの送出対象信号を出力させる信号データ読出手段（２５）とを備え、前記設定されたフォーマットの送出対象信号を直交変調して高周波信号を生成して出力する信号発生装置であって、
前記送信対象信号フォーマット設定手段によって、１フレームを構成する物理チャネルの数ｍ、各物理チャネルに挿入可能な信号データのサンプル数Ｓ２１〜Ｓ２ｍ、ｉ番目（ｉ＝１〜ｍ）の物理チャネルに挿入可能なｋｉ種類の信号データを含むフォーマット情報が設定されたとき、
前記信号データ書込手段は、ｉ番目の物理チャネルに挿入可能なｋｉ種類の信号データを前記第２のメモリに格納する際に、当該物理チャネルについての格納先頭アドレスＳ１ｉ、信号データのサンプル数Ｓ２ｉ、フレームの送出順番を示すフレーム番号を信号データの種類数ｋｉで除算した余り値Ｑ１〜Ｑｋｉおよび信号データのサンプルカウント値Ｃを用いて、ｋｉ種類の信号データを、それぞれ、
Ｓ１ｉ＋Ｓ２ｉ×Ｑ１＋Ｃ
Ｓ１ｉ＋Ｓ２ｉ×Ｑ２＋Ｃ
……
Ｓ１ｉ＋Ｓ２ｉ×Ｑｋｉ＋Ｃ
で示される前記第２メモリのアドレス領域にそれぞれ格納するように構成され、
前記信号データ読出手段は、送出されるフレームの順番をカウンタ（２６）により計数し、除算器（２７）により、信号データを挿入すべきｊ番目（ｊ＝１〜ｍ）の物理チャネルについての信号データの種類数ｋｊで前記計数結果を除算してその余り値Ｑ′を求め、読出アドレス算出手段（２９）により、ｊ番目の物理チャネルについての格納先頭アドレスＳ１ｊと、当該物理チャネルに挿入する信号データのサンプル数Ｓ２ｊと、前記余り値Ｑ′と、前記サンプルカウント数Ｃとを用いて、
Ｓ１ｊ＋Ｓ２ｊ×Ｑ′＋Ｃ
で示されるアドレスを順次計算して、前記第２メモリに対する読出アドレスとして指定し、ｊ番目の物理チャネルに挿入するための信号データを読み出すことを特徴とする信号発生装置。
【請求項２】
異なる複数の周波数帯を併用して通信を行うＬＴＥ方式の機器の試験を行うための信号を発生するために、前記信号データ書込手段、前記第２のメモリおよび前記信号データ読出手段を前記周波数帯の数に応じて複数組設け、前記第２のメモリに対して周波数帯毎の信号データを、前記余り値を用いた前記演算によって決まるアドレス領域にそれぞれ書き込み、前記余り値を用いた前記演算によって各第２のメモリから周波数帯毎の信号データを同期させて読出し、該読み出した周波数帯毎の送信データを加算合成して出力することを特徴とする請求項１記載の信号発生装置。
【請求項３】
前記データ読出手段の前記除算器と前記読出アドレス算出手段との間に設けたスイッチ（２８）により、前記余り値に代わる値を前記読出アドレス算出手段に指定できるようにしたことを特徴とする請求項１または請求項２記載の信号発生装置。
【請求項４】
前記請求項３記載の信号発生装置と、
前記信号発生装置の出力信号を受けた携帯端末から送信された信号を受信してその強度を求める手段を有しており、
前記信号発生装置において、送信パワー制御用の物理チャネルに対して複数の信号データを設定し、
前記余り値の代わりに、前記携帯端末から送信された信号の強度に応じて変化する数値を、前記スイッチを介して前記読出アドレス算出手段に与え、前記送信パワー制御用の物理チャネルに挿入される信号データを変更し、携帯端末の送信パワーを変更させることを特徴とする試験システム。
【請求項５】
複数の物理チャネルでフレームが構成されるフォーマットを有する信号のうち、送出対象信号のフォーマット情報を第１メモリ（２２）に設定する段階と、
前記第１メモリに設定されたフォーマット情報にしたがって、送出対象信号の各フレームの物理チャネルに挿入するベースバンドの信号データを挿入対象の物理チャネルにそれぞれ対応づけて第２メモリ（２４）に書き込む段階と、
前記第１メモリに設定されたフォーマット情報に基づいて、前記第２メモリに書き込まれた信号データを挿入対象の物理チャネルの送信タイミングに合わせて読み出して、前記設定されたフォーマットの送出対象信号を出力させる段階と、
前記設定されたフォーマットの送出対象信号を直交変調して高周波信号を生成して出力する段階とを含む信号発生方法であって、
前記送出対象信号のフォーマット情報として、１フレームを構成する物理チャネルの数ｍ、各物理チャネルに挿入可能な信号データのサンプル数Ｓ２１〜Ｓ２ｍ、ｉ番目（ｉ＝１〜ｍ）の物理チャネルに挿入可能なｋｉ種類の信号データを含むフォーマット情報が設定されたとき、
前記信号データを前記第２メモリに書き込む段階は、ｉ番目の物理チャネルに挿入可能なｋｉ種類の信号データを前記第２のメモリに格納する際に、当該物理チャネルについての格納先頭アドレスＳ１ｉ、信号データのサンプル数Ｓ２ｉ、フレームの送出順番を示すフレーム番号を信号データの種類数ｋｉで除算した余り値Ｑ１〜Ｑｋｉおよび信号データのサンプルカウント値Ｃを用いて、ｋｉ種類の信号データを、それぞれ、
Ｓ１ｉ＋Ｓ２ｉ×Ｑ１＋Ｃ
Ｓ１ｉ＋Ｓ２ｉ×Ｑ２＋Ｃ
……
Ｓ１ｉ＋Ｓ２ｉ×Ｑｋｉ＋Ｃ
で示される前記第２メモリのアドレス領域にそれぞれ格納し、
前記信号データを読み出す段階は、送出されるフレームの順番を計数し、信号データを挿入すべきｊ番目（ｊ＝１〜ｍ）の物理チャネルについての信号データの種類数ｋｊで前記計数結果を除算してその余り値Ｑ′を求め、ｊ番目の物理チャネルについての格納先頭アドレスＳ１ｊと、当該物理チャネルに挿入する信号データのサンプル数Ｓ２ｊと、前記余り値Ｑ′と、前記サンプルカウント数Ｃとを用いて、
Ｓ１ｊ＋Ｓ２ｊ×Ｑ′＋Ｃ
で示されるアドレスを順次計算して、前記第２メモリに対する読出アドレスとして指定し、ｊ番目の物理チャネルに挿入するための信号データを読み出すことを特徴とする信号発生方法。
【発明の詳細な説明】
【技術分野】
【０００１】
本発明は、複数の物理チャネルで１フレームが構成されるフォーマットを有する信号の各物理チャネルに、試験用の信号データを挿入して出力する信号発生装置において、物理チャネルに対する信号の多種の挿入パターンに、少ないメモリ容量構成で、簡単に対応でき、また、信号送出中の特定物理チャネルに挿入する信号を変更できるようにするための技術に関する。
【背景技術】
【０００２】
近年、携帯電話やスマートフォンに代表される携帯端末では、その利便性を高めるために電話機能やメール送受信機能を実現するＣＤＭＡ、ＧＳＭ（登録商標）、ＰＨＳ等の従来通信方式の他に、ＧＰＳ衛星の電波受信機能、ブルートゥース等を含め、多数の異なる通信方式での通信を行う機能を有しており、その試験のために、これら多数の通信方式で規定されるプロトコルにしたがってベースバンドの通信用の信号を下位レイヤから順に所定フレーム数分構築し、これを直交変調して通信方式に割り当てられた周波数帯の高周波信号に変換して出力する機能が必要とされる。
【０００３】
しかし、通信方式専用のプロトコルにしたがって複数フレーム分の信号を下位レイヤから順にリアルタイムに構築してそれを高周波信号に順次変換して出力する構成では、各通信方式について高速な信号構築処理が可能なシステムが要求され、装置構成が高価でかつ大掛かりとなる。
【０００４】
これを解決する技術として、各通信方式のフレームを構成する各物理チャネル（通信方式によってはスロットと呼ばれる）に挿入可能な信号データを予め生成してメモリに記憶させておき、指定された通信方式のフレームに用いられる物理チャネルの送出タイミングに合わせて、その物理チャネルに対して予め指定された信号データをメモリから読み出して挿入し、複数物理チャネルで１フレームが構成される信号を出力し、この信号を直交変調した高周波変調信号を出力する技術がある。
【０００５】
なお、上記のようにメモリに記憶した信号データを読み出して構成した信号を、外部トリガに同期して先頭から出力する技術は、例えば次の特許文献１に開示されている。
【先行技術文献】
【特許文献】
【０００６】
【特許文献１】特開２００３−１９６５８０公報
【発明の概要】
【発明が解決しようとする課題】
【０００７】
上記構成の信号発生装置の信号読出技術に関して、１フレームの各物理チャネルに対する信号データの挿入パターンが毎フレーム同じで、それを複数フレーム単純に繰り返して送信する場合だけであれば、１フレーム分の信号データを時系列にしてひとまとめに記憶しておき、それを順番に且つ循環的に読み出せばよいが、より実際に近い通信環境を模擬するために、フレーム毎あるいは複数フレーム間隔で各スロットに対する信号データの挿入パターンが可変される場合も要求され、この場合、信号のパターンの繰り返し周期が必然的に長くなり、その１周期分の信号データを記憶するために膨大なメモリを必要とする。
【０００８】
これを解決して、種々の送信パターンに対応できるようにするための技術として、送信信号全体についての各物理チャネルに挿入すべき信号データの読出アドレスを順番に書き込んだテーブル（シーケンステーブル）を用いる方法がある。
【０００９】
簡単な例で言えば、図４のように、３つの物理チャネルで１フレームが構成される信号で各物理チャネルのうち、第１物理チャネルには信号データＡを共通に挿入し、第２物理チャネルには、異なる３種類の信号データＢ１〜Ｂ３を順番に挿入し、第３物理チャネルには、異なる２種類の信号データＣ１、Ｃ２を交互に挿入するパターンで、６フレーム（１８物理チャネル）分の読出アドレスを書き込んだテーブルを用意して、これを順番にかつ循環的に読み出す必要がある。実際の例で言えばＬＴＥ方式のように、１フレームが２０スロットで構成される信号をスロット毎にパターン分割して１００フレーム分送信する場合、２０００個の読出アドレスを書き込んでおく必要があり、煩雑な作業を要する。
【００１０】
また、上記のように固定されたパターンでは、一連の信号を送信している間に、特定の物理チャネルの信号データを別の信号データに変化させることは原理的に不可能であり、例えば，試験対象端末から送信された信号の解析結果からその試験対象端末の送信出力を変化させるためのＴＰＣ信号が挿入されるスロットの挿入値を切り替えることがまったくできない。
【００１１】
本発明は、上記問題を解決し、少ないメモリ容量構成で、簡単に、フレームを構成する各物理チャネルに対する信号の多種の挿入パターンに対応でき、また、信号送出中の特定物理チャネルに挿入する信号を変更できる信号発生装置および信号発生方法を提供することを目的としている。
【課題を解決するための手段】
【００１２】
前記目的を達成するために、本発明の請求項１の信号発生装置は、
複数の物理チャネルでフレームが構成されるフォーマットを有する信号のうち、送出対象信号のフォーマット情報を第１メモリ（２２）に設定する送出対象信号フォーマット設定手段（２１）と、
前記第１メモリに設定されたフォーマット情報にしたがって、送出対象信号の各フレームの物理チャネルに挿入するベースバンドの信号データを挿入対象の物理チャネルにそれぞれ対応づけて第２メモリ（２４）に書き込む信号データ書込手段（２３）と、
前記第１メモリに設定されたフォーマット情報に基づいて、前記第２メモリに書き込まれた信号データを挿入対象の物理チャネルの送信タイミングに合わせて読み出して、前記設定されたフォーマットの送出対象信号を出力させる信号データ読出手段（２５）とを備え、前記設定されたフォーマットの送出対象信号を直交変調して高周波信号を生成して出力する信号発生装置であって、
前記送信対象信号フォーマット設定手段によって、１フレームを構成する物理チャネルの数ｍ、各物理チャネルに挿入可能な信号データのサンプル数Ｓ２１〜Ｓ２ｍ、ｉ番目（ｉ＝１〜ｍ）の物理チャネルに挿入可能なｋｉ種類の信号データを含むフォーマット情報が設定されたとき、
前記信号データ書込手段は、ｉ番目の物理チャネルに挿入可能なｋｉ種類の信号データを前記第２のメモリに格納する際に、当該物理チャネルについての格納先頭アドレスＳ１ｉ、信号データのサンプル数Ｓ２ｉ、フレームの送出順番を示すフレーム番号を信号データの種類数ｋｉで除算した余り値Ｑ１〜Ｑｋｉおよび信号データのサンプルカウント値Ｃを用いて、ｋｉ種類の信号データを、それぞれ、
Ｓ１ｉ＋Ｓ２ｉ×Ｑ１＋Ｃ
Ｓ１ｉ＋Ｓ２ｉ×Ｑ２＋Ｃ
……
Ｓ１ｉ＋Ｓ２ｉ×Ｑｋｉ＋Ｃ
で示される前記第２メモリのアドレス領域にそれぞれ格納するように構成され、
前記信号データ読出手段は、送出されるフレームの順番をカウンタ（２６）により計数し、除算器（２７）により、信号データを挿入すべきｊ番目（ｊ＝１〜ｍ）の物理チャネルについての信号データの種類数ｋｊで前記計数結果を除算してその余り値Ｑ′を求め、読出アドレス算出手段（２９）により、ｊ番目の物理チャネルについての格納先頭アドレスＳ１ｊと、当該物理チャネルに挿入する信号データのサンプル数Ｓ２ｊと、前記余り値Ｑ′と、前記サンプルカウント数Ｃとを用いて、
Ｓ１ｊ＋Ｓ２ｊ×Ｑ′＋Ｃ
で示されるアドレスを順次計算して、前記第２メモリに対する読出アドレスとして指定し、ｊ番目の物理チャネルに挿入するための信号データを読み出すことを特徴としている。
また、本発明の請求項２の信号発生装置は、請求項１記載の信号発生装置において、
異なる複数の周波数帯を併用して通信を行うＬＴＥ方式の機器の試験を行うための信号を発生するために、前記信号データ書込手段、前記第２のメモリおよび前記信号データ読出手段を前記周波数帯の数に応じて複数組設け、前記第２のメモリに対して周波数帯毎の信号データを、前記余り値を用いた前記演算によって決まるアドレス領域にそれぞれ書き込み、前記余り値を用いた前記演算によって各第２のメモリから周波数帯毎の信号データを同期させて読出し、該読み出した周波数帯毎の送信データを加算合成して出力することを特徴としている。
【００１３】
また、本発明の請求項３の信号発生装置は、請求項１または請求項２記載の信号発生装置において、
前記データ読出手段の前記除算器と前記読出アドレス算出手段との間に設けたスイッチ（２８）により、前記余り値に代わる値を前記読出アドレス算出手段に指定できるようにしたことを特徴とする。
また、本発明の請求項４の試験システムは、
前記請求項３記載の信号発生装置と、
前記信号発生装置の出力信号を受けた携帯端末から送信された信号を受信してその強度を求める手段を有しており、
前記信号発生装置において、送信パワー制御用の物理チャネルに対して複数の信号データを設定し、
前記余り値の代わりに、前記携帯端末から送信された信号の強度に応じて変化する数値を、前記スイッチを介して前記読出アドレス算出手段に与え、前記送信パワー制御用の物理チャネルに挿入される信号データを変更し、携帯端末の送信パワーを変更させることを特徴としている。
【００１４】
また、本発明の請求項５の信号発生方法は、
複数の物理チャネルでフレームが構成されるフォーマットを有する信号のうち、送出対象信号のフォーマット情報を第１メモリ（２２）に設定する段階と、
前記第１メモリに設定されたフォーマット情報にしたがって、送出対象信号の各フレームの物理チャネルに挿入するベースバンドの信号データを挿入対象の物理チャネルにそれぞれ対応づけて第２メモリ（２４）に書き込む段階と、
前記第１メモリに設定されたフォーマット情報に基づいて、前記第２メモリに書き込まれた信号データを挿入対象の物理チャネルの送信タイミングに合わせて読み出して、前記設定されたフォーマットの送出対象信号を出力させる段階と、
前記設定されたフォーマットの送出対象信号を直交変調して高周波信号を生成して出力する段階とを含む信号発生方法であって、
前記送出対象信号のフォーマット情報として、１フレームを構成する物理チャネルの数ｍ、各物理チャネルに挿入可能な信号データのサンプル数Ｓ２１〜Ｓ２ｍ、ｉ番目（ｉ＝１〜ｍ）の物理チャネルに挿入可能なｋｉ種類の信号データを含むフォーマット情報が設定されたとき、
前記信号データを前記第２メモリに書き込む段階は、ｉ番目の物理チャネルに挿入可能なｋｉ種類の信号データを前記第２のメモリに格納する際に、当該物理チャネルについての格納先頭アドレスＳ１ｉ、信号データのサンプル数Ｓ２ｉ、フレームの送出順番を示すフレーム番号を信号データの種類数ｋｉで除算した余り値Ｑ１〜Ｑｋｉおよび信号データのサンプルカウント値Ｃを用いて、ｋｉ種類の信号データを、それぞれ、
Ｓ１ｉ＋Ｓ２ｉ×Ｑ１＋Ｃ
Ｓ１ｉ＋Ｓ２ｉ×Ｑ２＋Ｃ
……
Ｓ１ｉ＋Ｓ２ｉ×Ｑｋｉ＋Ｃ
で示される前記第２メモリのアドレス領域にそれぞれ格納し、
前記信号データを読み出す段階は、送出されるフレームの順番を計数し、信号データを挿入すべきｊ番目（ｊ＝１〜ｍ）の物理チャネルについての信号データの種類数ｋｊで前記計数結果を除算してその余り値Ｑ′を求め、ｊ番目の物理チャネルについての格納先頭アドレスＳ１ｊと、当該物理チャネルに挿入する信号データのサンプル数Ｓ２ｊと、前記余り値Ｑ′と、前記サンプルカウント数Ｃとを用いて、
Ｓ１ｊ＋Ｓ２ｊ×Ｑ′＋Ｃ
で示されるアドレスを順次計算して、前記第２メモリに対する読出アドレスとして指定し、ｊ番目の物理チャネルに挿入するための信号データを読み出すことを特徴としている。
【発明の効果】
【００１６】
このように、本発明では、１フレームを構成する物理チャネルの数ｍ、各物理チャネルに挿入可能な信号データのサンプル数Ｓ２１〜Ｓ２ｍ、ｉ番目（ｉ＝１〜ｍ）の物理チャネルに挿入可能なｋｉ種類の信号データを含むフォーマット情報が設定されたとき、ｉ番目の物理チャネルに挿入可能なｋｉ種類の信号データを第２のメモリに格納する際に、当該物理チャネルについての格納先頭アドレスＳ１ｉ、信号データのサンプル数Ｓ２ｉ、フレームの送出順番を示すフレーム番号を信号データの種類数ｋｉで除算した余り値Ｑ１〜Ｑｋｉおよび信号データのサンプルカウント値Ｃを用いて、ｋｉ種類の信号データを、それぞれ、
Ｓ１ｉ＋Ｓ２ｉ×Ｑ１＋Ｃ
Ｓ１ｉ＋Ｓ２ｉ×Ｑ２＋Ｃ
……
Ｓ１ｉ＋Ｓ２ｉ×Ｑｋｉ＋Ｃ
で示される前記第２メモリのアドレス領域にそれぞれ格納しておき、送出されるフレームの順番を計数し、信号データを挿入すべきｊ番目（ｊ＝１〜ｍ）の物理チャネルについての信号データの種類数ｋｊで計数結果を除算してその余り値Ｑ′を求め、ｊ番目の物理チャネルについての格納先頭アドレスＳ１ｊと、当該物理チャネルに挿入する信号データのサンプル数Ｓ２ｊと、余り値Ｑ′と、サンプルカウント数Ｃとを用いて、
Ｓ１ｊ＋Ｓ２ｊ×Ｑ′＋Ｃ
で示されるアドレスを順次計算して、第２メモリに対する読出アドレスとして指定し、ｊ番目の物理チャネルに挿入するための信号データを読み出すようにしている。
このため、従来のように送信信号全体についての各物理チャネルに挿入すべき信号データの読出アドレスを順番にテーブルに書き込むような煩雑な作業をしなくても、リアルタイムに特定物理チャネルに挿入する信号データの読出アドレスを変更できる。
【００１７】
また、スイッチで前記した余り値の代わりの値を指定できるようにしたので、フレーム番号に依存して物理チャネルに挿入する信号データを順次切り替えるモードの他に、例えばＴＰＣビットのように、予測できないタイミングに特定物理チャネルの信号データを変更させたり、特定物理チャネルに挿入する信号データの変更を規制した状態にすることができ、種々の試験状態に対応できる。
また、請求項４の試験システムのように、上記信号発生装置と、その信号発生装置の出力信号を受けた携帯端末から送信された信号を受信してその強度を求める手段を有し、信号発生装置において、送信パワー制御用の物理チャネルに対して複数の信号データを設定するとともに、余り値の代わりに、携帯端末から送信された信号の強度に応じて変化する数値を、スイッチを介して読出アドレス算出手段に与えることで、送信パワー制御用の物理チャネルに挿入される信号データを変更し、携帯端末の送信パワーを変更させることが可能となる。
【図面の簡単な説明】
【００１８】
【図１】本発明の実施形態の構成図
【図２】複数の異なる周波数帯で通信を行う方式の信号フォーマット図
【図３】図２信号フォーマットに対応する構成の一部を示す図
【図４】信号フォーマットの簡単な例を示す図
【発明を実施するための形態】
【００１９】
以下、図面に基づいて本発明の実施の形態を説明する。
図１は、本発明を適用した信号発生装置２０の構成を示している。
【００２０】
この信号発生装置２０は、送出対象信号フォーマット設定手段２１、第１メモリ２２、信号データ書込手段２３、第２メモリ２４および信号データ読出手段２５によって構成されている。
【００２１】
送出対象信号フォーマット設定手段２１は、複数の物理チャネルでフレームが構成されるフォーマットを有する信号のうち、ユーザーが希望する送出対象信号のフォーマット情報を第１メモリ２２に設定する。
【００２２】
このフォーマット情報には、送信フレーム数、フレームを構成する物理チャネルの数、各物理チャネルのデータ量、物理チャネルのうち挿入される信号データが不変のチャネル（不変チャネル）、信号データが変更されるチャネル（変化チャネル）の種別、変化チャネルに対する信号データの変化要因と変化する信号データの種類と順番等が含まれている。
【００２３】
ここでは、理解しやすいように前記図４に示したように、３つの物理チャネルで１フレームが構成される信号で、各物理チャネルのうち第１物理チャネルを不変チャネルとして信号データＡが共通に挿入され、第２物理チャネルを変化チャネルとして、異なる３種類の信号データＢ１〜Ｂ３が順番に挿入され、第３物理チャネルを変化チャネルとして、異なる２種類の信号データＣ１、Ｃ２が交互に挿入されるフォーマット情報が設定されたものとする。
【００２４】
信号データ書込手段２３は、第１メモリ２２に設定されたフォーマット情報にしたがって、送出対象信号の各フレームの物理チャネルに挿入する信号データを挿入対象の物理チャネルにそれぞれ対応づけて第２メモリ２４に書き込む。
【００２５】
この信号データ書込手段２３は、前記したように、フレーム内の特定物理チャネル（第２、第３物理チャネル）に挿入する信号データが変化するフォーマットが設定されたとき、当該特定物理チャネルに挿入予定の複数種類の信号データを、所定の変化要因値を変数とする所定演算で算出される第２メモリ２４の各アドレス領域にそれぞれ格納する。
【００２６】
さらに詳しくいえば、第１物理チャネルに挿入する信号データＡのサンプル数をＳ２ａとすると、信号データＡは、第２メモリ２４のアドレスＡｄ１からＳ２ａの広さの領域に格納される。
【００２７】
また、第２物理チャネルに挿入する信号データＢ１〜Ｂ３のサンプル数をＳ２ｂとすると、信号データＢ１は、第２メモリ２４のアドレスＡｄ２からＳ２ｂの広さ領域に格納され、信号データＢ２は、それに続くＳ２ｂの広さ領域に格納され、信号データＢ３は、さらにそれに続くＳ２ｂの広さ領域に格納されることになる。
【００２８】
また、第３物理チャネルに挿入する信号データＣ１、Ｃ２のサンプル数をＳ２ｃとすると、信号データＣ１は、第２メモリ２４のアドレスＡｄ３からＳ２ｃの広さ領域に格納され、信号データＣ２は、それに続くＳ２ｃの広さ領域に格納されことになる。
【００２９】
つまり、一般式でいえば、一つの物理チャネルに対応する格納先頭アドレスをＳ１（＝Ａｄ１、Ａｄ２、Ａｄ３）、信号データのサンプル数をＳ２、フレーム番号等に依存した変化要因値をＩｎｄｅｘ、各サンプルのカウント値を（Ｃｏｕｎｔ）とすると、信号データの書込アドレスは、次の演算式、
Ｓ１＋（Ｓ２）×（Ｉｎｄｅｘ）＋（Ｃｏｕｎｔ）
によって算出される。
【００３０】
ここで、変化しない信号データＡについていえば、変化要因値０の状態でカウント値毎に増加するアドレスに１サンプルずつ書き込んでおけばよい。
【００３１】
また、信号データＢ１〜Ｂ３についていえば、それぞれ変化要因値０、１、２の状態でカウント値毎に増加するアドレスに１サンプルずつ書き込んでおけばよい。
【００３２】
さらに、信号データＣ１、Ｃ２についていえば、それぞれ変化要因値０、１の状態でカウント値毎に増加するアドレスに１サンプルずつ書き込んでおけばよい。
【００３３】
ここで、上記フォーマット例のように、変化要因がフレーム番号の場合、挿入する信号データの種類数でフレーム番号を除算した余り値を変化要因値として用いることで、目的の信号データを読み出すことができる。
【００３４】
信号データ読出手段２５は、指定された変化要因値に対して前記演算を行うことで、第２メモリ２４に記憶されている複数種類の信号データの読出アドレスを切り替える。
【００３５】
ここで、信号データ読出手段２５には、送信対象信号の送信開始タイミングからフレーム数をカウントするカウンタ２６と、そのカウンタ２６から出力されるフレーム番号Ｎｆを、送信しようとする物理チャネルに挿入する信号データの種類数で除算してその余り値Ｑを変化要因値として出力する除算器（剰余カウンタ）２７と、除算器２７が出力する余り値、任意のタイミングに変化する入力値Ｖ、固定値Ｆｉｘのいずれかを選択するためのスイッチ２８と、スイッチ２８で選択された値を変化要因値として第２メモリ２４に対する読出アドレスを前記演算式に基づいて算出する読出アドレス算出手段２９が含まれている。なお、信号データ読出手段２５は、フォーマット情報にしたがって、フレームや物理チャネルの切り替わりタイミングおよび物理チャネルに対する信号サンプルの挿入タイミングを内部で生成しているものとする。また、スイッチ２８が選択する値は、ユーザーによって指定できるようになっているものとする。
【００３６】
ここで、スイッチ２８が余り値Ｑを選択していれば、第１物理チャネルに挿入する信号データはＡの１種類であるから、フレーム番号Ｎｆ（初期値０とする）を種類数１で割ったときの余り値（Ｉｎｄｅｘ）は０となり、前記演算式から、いずれのフレームにおいても第１物理チャネルの送出タイミングに、信号データＡの先頭アドレスＡｄ１（＝Ｓ１）からサンプルカウント値（Ｃｏｕｎｔ）の増加に伴って信号データＡのサンプル値の読み出しが開始されることになる。
【００３７】
また、第２物理チャネルに挿入する信号データはＢ１〜Ｂ３の３種類であるから、フレーム番号Ｎｆを種類数３で割ったときの余り値（Ｉｎｄｅｘ）は０→１→２の繰り返しとなる。
【００３８】
したがって、フレーム番号Ｎｆ＝０、３、６、９…の各フレームにおいて第２物理チャネルの送出タイミングの余り値Ｑ（Ｉｎｄｅｘ）は０となり、第２物理チャネルに挿入可能な信号データＢ１の先頭アドレスＡｄ２（＝Ｓ１）からサンプルカウント値Ｃｏｕｎｔの増加に伴って信号データＢ１のサンプル値の読み出しが開始されることになる。
【００３９】
また、フレーム番号Ｎｆ＝１、４、７、１０……の各フレームにおいて第２物理チャネルの送出タイミングの余り値Ｑ（Ｉｎｄｅｘ）は１となり、第２物理チャネルに挿入可能な信号データの先頭アドレスＡｄ２（Ｓ１）に送出済みの信号データＢ１の領域Ｓ２分を加えたアドレス値から、サンプルカウント値（Ｃｏｕｎｔ）の増加に伴って信号データＢ２のサンプル値の読み出しが開始されることになる。
【００４０】
また、フレーム番号Ｎｆ＝２、５、８、１１……の各フレームにおいて第２物理チャネルの送出タイミングの余り値Ｑ（Ｉｎｄｅｘ）は２となり、第２物理チャネルに挿入可能な信号データの先頭アドレスＡｄ２（Ｓ１）に送出済みの信号データＢ１、Ｂ２の領域Ｓ２×２を加えたアドレス値から、サンプルカウント値（Ｃｏｕｎｔ）の増加に伴って信号データＢ３のサンプル値の読み出しが開始されることになる。
【００４１】
また、第３物理チャネルに挿入する信号データはＣ１、Ｃ２の２種類であるから、フレーム番号Ｎｆを種類数２で割ったときの余り値Ｑ（Ｉｎｄｅｘ）は０→１の繰り返しとなる。
【００４２】
したがって、フレーム番号Ｎｆ＝０、２、４、６…の各フレームにおいて第３物理チャネルの送出タイミングの余り値（Ｉｎｄｅｘ）は０となり、第３物理チャネルに挿入可能な信号データＣ１の先頭アドレスＡｄ３（＝Ｓ１）からサンプルカウント値Ｃｏｕｎｔの増加に伴って信号データＣ１のサンプル値の読み出しが開始されることになる。
【００４３】
また、フレーム番号Ｎｆ＝１、３、５、７…の各フレームにおいて第３物理チャネルの送出タイミングの余り値Ｑ（Ｉｎｄｅｘ）は１となり、第３物理チャネルに挿入可能な信号データＣ１の先頭アドレスＡｄ３（＝Ｓ１）に送出済みの信号データＣ１の領域Ｓ２分を加えたアドレス値から、サンプルカウント値Ｃｏｕｎｔの増加に伴って信号データＣ２のサンプル値の読み出しが開始されることになる。
【００４４】
このように、予め、第１物理チャネルに挿入する信号データＡをメモリ２４のアドレスＡｄ１から始まる領域に書き込み、第２物理チャネルに挿入する３種類の信号データＢ１〜Ｂ３をアドレスＡｄ２から始まる領域に連続して書き込み、第３物理チャネルに挿入する２種類の信号データＣ１、Ｃ２をアドレスＡｄ３から始まる領域に連続して書き込んでおくことで、変化要因値を変数とする上記演算式により、いずれのフレームの物理チャネルへの信号挿入を予め指定されたフォーマットで行うことができ、無作為にメモリに格納した信号データのアドレスを送信信号全体についてシーケンスメモリに書き込んでからそれを読み出す方法に比べて、格段に容易に所望フォーマットの信号発生が可能となる。
【００４５】
上記例では、フレーム内の特定の物理チャネルに対して複数種類の信号データを周期的に切り替えて挿入する場合に、信号データの種類数でフレーム番号を除算した余り値を、信号種類切換のための変化要因値（Ｉｎｄｅｘ）として用いたが、余り値Ｑの代わりに前記したように任意のタイミングに変化する入力値Ｖを選択すれば、ある条件を満たしたときに切換わる変化要因値（Ｉｎｄｅｘ）によって特定の物理チャネルの信号データを別のものに変更することができる。これは、ＬＴＥ方式やＷＣＤＭＡ方式の携帯端末の場合の制御として用いられる送信パワー制御（ＴＰＣ）のビット情報を挿入する物理チャネルについて、試験対象からの送信信号を受信したときの受信強度に応じて変化要因値を変更して、その物理チャネルへの挿入信号を変更するモードとして利用できる。
【００４６】
また、変化要因値（Ｉｎｄｅｘ）として固定値を選択した場合、各物理チャネルに挿入する信号データの種類がそれぞれ複数あったとしても、Ｉｎｄｅｘが固定なので、決まった信号データの組合せで構成されるフレームが繰り返し出力されることになる。
【００４７】
このように、物理チャネルに挿入する信号データの種類の変更を、フレーム番号の変化に基づいて行うモードだけでなく、所定条件を満たしたときに値が変化する入力値に基づいて行うモードや、信号データの種類変更を規制した固定モードを選択でき、ユーザーにとって利便性が高い。
【００４８】
なお、上記説明は、物理チャネルにベースバンドの信号データが挿入されてフレームが構成された信号を送出しているが、実際に扱う信号は、ベースバンドのＩ、Ｑ信号データであり、上記処理をＩ、Ｑの２系統について行うことになる。また、携帯端末等の試験を実際に行うシステムでは、上記システムでＩ、Ｑの２系統について発生された信号を直交変調した高周波信号を生成して試験対象に与えることになる。
【００４９】
また、上記例では、送出する信号列が１系統（Ｉ、Ｑを含む）の場合を示したが、図２に示すように、異なる複数（図では３つ）の周波数帯を併用して通信を行うＬＴＥ方式の機器の試験を行う場合には、前記図１に示した実施形態の構成を周波数帯の数分（３組）設け、フレーム単位で同期するように並列的に動作させ、図３のように、各周波数帯の第２メモリ２４Ａ〜２４Ｃに書き込まれている信号データを周波数帯毎のフォーマット情報にしたがって読出し、それら周波数帯毎の送信対象信号Ｓout1〜Ｓout3を加算器３０で加算（Ｉ成分同士、Ｑ成分同士の加算）し、その加算結果Ｓoutを出力すればよい。
【符号の説明】
【００５０】
２０……信号発生装置、２１……送出対象信号フォーマット設定手段、２２……第１メモリ、２３……信号データ書込手段、２４……第２メモリ、２５……信号データ読出手段、２６……カウンタ、２７……除算器、２８……スイッチ、２９……読出アドレス算出手段
【図１】
0005752063.tif 000002
【図２】
0005752063.tif 000003
【図３】
0005752063.tif 000004
【図４】
0005752063.tif 000005